(57)【要約】【課題】床面の塵埃量を目視で評価する際に、塵埃が認識し易く、実際の塵埃量と目視で認識される塵埃量とが常に一定の対応関係となるような塵埃評価用照明装置を提供する。【解決手段】塵埃評価用照明装置１は、ＬＥＤ光源２と、それを床面上に保持する保持具４と、フィルター５とから構成されている。保持具４は、ＬＥＤ光源２の発光部側の端部を挿入するヘッドホルダー４ａと、反対側の端部を挿入するテイルホルダー４ｂの２つに分割され、ヘッドホルダー４ａの挿入穴の中心の高さをテイルホルダー４ｂの挿入穴の中心の高さより低くすることにより、ＬＥＤ光源２の出射光の光軸３と床面との成す角度が数度〜１０度程度となるように設定されている。フィルター５は、ＬＥＤ光源２から床面に照射される光の光量を評価領域内と評価領域外との間で異ならしめるためのＶ字状の透過光量パターンフィルターである。【選択図】図１
0003203945.tif 000002
【実用新案登録請求の範囲】
【請求項１】
平面上に付着した塵埃の評価を行うための照明装置であって、ＬＥＤと駆動回路とそれらを内蔵する外部ケースとを有するＬＥＤ光源と、該ＬＥＤ光源の出射光の光軸と前記平面とが成す角度が−３度〜１５度となるように前記平面上で前記ＬＥＤ光源を保持する保持具と、前記ＬＥＤ光源からの出射光を前記平面上の限定された評価領域に投影して示すため前記ＬＥＤ光源と前記平面との間に配置されたフィルターとを有することを特徴とする塵埃評価用照明装置。
【請求項２】
前記フィルターは、前記ＬＥＤ光源から前記平面に照射される光の光量を前記評価領域内と前記評価領域外との間で異ならしめるための透過光量パターンフィルターであることを特徴とする請求項1に記載の塵埃評価用照明装置。
【請求項３】
前記フィルターは前記ＬＥＤ光源から前記平面に照射される光の波長を前記評価領域内と前記評価領域外との間で異ならしめるための透過波長パターンフィルターであることを特徴とする請求項1に記載の塵埃評価用照明装置。
【請求項４】
前記フィルターは前記ＬＥＤ光源から前記平面に照射される光の光量および波長を前記評価領域内と前記評価領域外との間で異ならしめるための透過光量および波長パターンフィルターであることを特徴とする請求項1に記載の塵埃評価用照明装置。
【請求項５】
前記フィルターは前記平面上に投影されたときに前記評価領域の周囲を覆う形状のパターンを有し、前記フィルターにより投影された前記評価領域内において、前記ＬＥＤ光源からの出射光による照度の場所による違いが１０倍以下となるように設定されることを特徴とする請求項１乃至請求項４のいずれか１項に記載の塵埃評価用照明装置。
【請求項６】
前記保持具は前記フィルターを挿入し保持するためのフィルターホルダーを備えることを特徴とする請求項１乃至請求項５のいずれか１項に記載の塵埃評価用照明装置。
【考案の詳細な説明】
【技術分野】
【０００１】
本考案は、床面などに存在する塵や埃の量を評価するために床面などを照明する装置、すなわち塵埃評価用照明装置に関する。
【背景技術】
【０００２】
一般に、床面などへの塵埃や土砂などの付着は、外観上および衛生面から好ましくなく、さらに病院などでは転倒防止のため安全上の観点からもその管理は重要である。通常、床面の塵埃の量は目視で確認し、必要に応じて清掃などを行っているが、病院などのようにその影響が大きい場合は一定の基準を設けて清掃を行う必要がある。
【０００３】
一方、特許文献１にはキセノンランプで照射された床面の汚れを受光用光ファイバを経由して受光し、標準的な床面との色相差を求めて評価する方法が記載されている。
【先行技術文献】
【特許文献】
【０００４】
【特許文献１】特開平８−１９３９６１号公報
【考案の概要】
【考案が解決しようとする課題】
【０００５】
清潔な環境を必要とする病院や工場などにおいて床面の塵埃の量を一定のレベル以下に保つ場合、定期的に床面の塵埃量の評価を行う必要がある。その評価は、塵埃の量が一定の基準内であるか否かをある程度客観的に判断できる評価方法であることが望まれる。また、多くの部屋や廊下などを有し、多くの評価すべき床面を有する施設では、一つの床面の上記の評価をできるだけ少ない工数で行う必要がある。このような目的に対し、特許文献１のような検出装置を用いる方法では客観的な評価は可能であるが、一つの床面に対する必要な評価工数が大きくなり、施設全体をある程度限られた時間内で評価を行うのは困難である。一方、従来の一般的な目視による評価では、その床面の照度や光の照射方向、照明器具の種類などによって目視で認識される塵埃の量は異なってしまう。
【０００６】
本考案は、係る問題を解決するためになされたものであり、床面の塵埃量を目視で評価する際に、塵埃が認識し易く、実際の塵埃量と目視で認識される塵埃量とが常に一定の対応関係となるような塵埃評価用照明装置を提供することを目的とする。
【課題を解決するための手段】
【０００７】
第１の観点では、本考案は、平面上に付着した塵埃の評価を行うための照明装置であって、ＬＥＤと駆動回路とそれらを内蔵する外部ケースとを有するＬＥＤ光源と、該ＬＥＤ光源の出射光の光軸と前記平面とが成す角度が−３度〜１５度となるように前記平面上で前記ＬＥＤ光源を保持する保持具と、前記ＬＥＤ光源からの出射光を前記平面上の限定された評価領域に投影して示すため前記ＬＥＤ光源と前記平面との間に配置されたフィルターとを有することを特徴とする塵埃評価用照明装置を提供する。
【０００８】
本考案は、本考案の考案者が本考案の目的を達成するために多くの実験を重ねて見出したものである。先ず、平坦な床面の塵埃量を目視で評価する光源として、電球などの他の光源よりもＬＥＤ光源が適していること、それを床面に対して浅い角度で照射することにより塵埃が認識しやすくなることを見出した。実験の結果、その角度は、ＬＥＤ光源の出射光の光軸と床面とが成す角度が−３度〜１５度となるように設定することが望ましいことが判明した。なお、上記の角度が０度の場合は出射光方向が床面と平行となり、角度がプラスの場合は出射光方向が下向き（床面方向）、角度がマイナスの場合は出射光方向が上向きの場合である。また、ＬＥＤ光源の種類によって出射光の広がり角度や強度が異なり、それによって照射される床面の範囲は異なるが、塵埃を認識し易い領域はそのすべての照射領域ではなく、その中の限定された領域であることがわかった。さらに、照射光の色、すなわち波長によっても塵埃を認識し易い領域が異なることがわかった。
【０００９】
そこで、その評価領域を他の異なる床面の評価においても評価者が再現よく把握できるようにするため、本考案においてはフィルターをＬＥＤ光源と床面との間に配置し、その限定された評価領域を床面上に投影して示す構成とした。なお、ＬＥＤ光源としては、例えば、電池を内蔵した円筒型や箱型の外部ケースに入った懐中電灯を用いることができる。または電源コードの付いたＬＥＤ光源であってもよい。また、保持具としては、ＬＥＤ光源の外部ケースの一部またはすべてを床面上で保持し、上記のように出射光の光軸を床面に対して設定できる構造を有するものであればよい。なお、ＬＥＤ光源の出射光の光軸と床面とが成す角度が−３度〜０度付近の場合はＬＥＤ光源の前面にその上部を覆い下部に開口を有するようなフィルターを設置すれば評価領域を照射可能である。
【００１０】
第２の観点では、本考案は、前記第1の観点の塵埃評価用照明装置において、前記フィルターは、前記ＬＥＤ光源から前記平面に照射される光の光量を前記評価領域内と前記評価領域外との間で異ならしめるための透過光量パターンフィルターであることを特徴とする。塵埃の評価に適した塵埃を認識し易い床面の光量は、小さすぎれば認識が困難となり、一方必ずしも大きいほど良いとは限らず、最適な範囲が存在する。また、出射光の光軸から離れた広がりの裾の部分では、多くの場合ＬＥＤ光源内の反射板等からの反射光成分が多いため塵埃が認識しにくくなる。そこで、本観点の考案では、例えば、評価領域外の部分の光を遮断または透過量を減衰させたり、評価領域の照度が最適となるような透過光量パターンフィルターを用い、床面に照射されたときに評価領域が把握できるようにしている。この場合、評価領域の周囲をすべて囲む必要はなく、ＬＥＤ光源からの出射方向に直交する方向、すなわち評価領域の幅方向の範囲が把握できればよい。出射方向、すなわち奥行き方向に関しては、塵埃が認識し易い評価領域を目視で把握できる場合が多いからである。また、通常、床面の塵埃の分布は、隅の部分や設置物の周囲の部分でなければ、照射光の範囲内では局所的な偏りはないので、評価領域中でも認識し易い部分で目視される塵埃量をその床部分の塵埃量と解釈することができる。
【００１１】
第３の観点では、本考案は、前記第1の観点の塵埃評価用照明装置において、前記フィルターは前記ＬＥＤ光源から前記平面に照射される光の波長を前記評価領域内と前記評価領域外との間で異ならしめるための透過波長パターンフィルターであることを特徴とする。本観点の考案は、第２の観点の考案と同様に、塵埃の評価に適した塵埃を認識し易い床面の光量の範囲、すなわち評価領域を投影して示すために、照射光の色、すなわち波長で区別して把握できるようにするものである。この場合、最適な光量の範囲、すなわち照度範囲を示すためだけに透過波長パターンフィルターを使用することも可能であるが、それだけではなく、塵埃をより認識し易い照射光の色を選択するためにも使用することができる。
【００１２】
第４の観点では、本考案は、前記第1の観点の塵埃評価用照明装置において、前記フィルターは前記ＬＥＤ光源から前記平面に照射される光の光量および波長を前記評価領域内と前記評価領域外との間で異ならしめるための透過光量および波長パターンフィルターであることを特徴とする。本観点の考案で使用するフィルターは透過光量と透過波長を特定のパターンで選択して床面に投影し、評価領域の範囲を示すものである。すなわち、前記第２の観点の考案と第３の観点の考案の両方の機能を有している。
【００１３】
第５の観点では、本考案は、前記第１乃至第４のいずれかの観点の塵埃評価用照明装置において、前記フィルターは前記平面上に投影されたときに前記評価領域の周囲を覆う形状のパターンを有し、前記フィルターにより投影された前記評価領域内において、前記ＬＥＤ光源からの出射光による照度の場所による違いが１０倍以下となるように設定されることを特徴とする。本観点の考案は、評価領域の周囲を覆う形状のパターンを有するフィルターを投影することにより評価領域がより明確に床面上に表示されるようにし、さらにその価領域内において、ＬＥＤ光源からの出射光による照度の場所による違いが１０倍以下となるように設定することにより、さらに明確な基準を有する塵埃量の評価が可能となる。
【００１４】
第６の観点では、本考案は、前記第１乃至第６のいずれかの観点の塵埃評価用照明装置において、前記保持具は前記フィルターを挿入し保持するためのフィルターホルダーを備えることを特徴とする。本観点の考案では状況に応じてフィルターの交換を容易に行うことができるように、ＬＥＤ光源を保持する保持具に一体としてまたは付属物としてフィルターホルダーを設置したものである。
【考案の効果】
【００１５】
上記のように、本考案により、床面の塵埃量を目視で評価する際に、塵埃が認識し易く、実際の塵埃量と目視で認識される塵埃量とが常に一定の対応関係となるような塵埃評価用照明装置が得られる。
【図面の簡単な説明】
【００１６】
【図１】実施例１の塵埃評価用照明装置の模式的な斜視図。
【図２】実施例１の塵埃評価用照明装置と床面上に照射された出射光を示す上面図。
【図３】実施例２の塵埃評価用照明装置に使用するフィルターのパターンを示す図。
【図４】実施例２の塵埃評価用照明装置と床面上に照射された出射光を示す上面図。
【図５】実施例３の塵埃評価用照明装置の模式的な斜視図。
【図６】実施例３の塵埃評価用照明装置と床面上に照射された出射光を示す上面図。
【図７】実施例４の塵埃評価用照明装置に使用するフィルターのパターンを示す図。
【図８】実施例４の塵埃評価用照明装置と床面上に照射された出射光を示す上面図。
【考案を実施するための形態】
【００１７】
以下、図面を参照して本考案の塵埃評価用照明装置を実施例により詳細に説明する。なお、図面の説明において同一の要素には同一符号を付し、その重複した説明を省略する。
【実施例１】
【００１８】
図１は、本考案の実施例１に係る塵埃評価用照明装置の模式的な斜視図である。図１において、塵埃評価用照明装置１は、床面上に置かれた状態を示しており、ＬＥＤと駆動回路とそれらを内蔵する外部ケースとを有するＬＥＤ光源２と、ＬＥＤ光源２を床面上に保持する保持具４と、フィルター５とから構成されている。ＬＥＤ光源２は、電池を内蔵し円筒型の外部ケースに入った懐中電灯である。保持具４は、ＬＥＤ光源２の発光部側の端部を挿入する穴を有するヘッドホルダー４ａと、発光部とは反対側の端部を挿入する穴を有するテイルホルダー４ｂの２つに分割されている。本実施例においては、ヘッドホルダー４ａの穴の中心の高さをテイルホルダー４ｂの穴の中心の高さより低くすることにより、ＬＥＤ光源２の出射光の光軸３と床面とが成す角度が数度〜１０度程度となるように設定されている。
【００１９】
フィルター５は、ＬＥＤ光源２からの出射光を床面上の限定された評価領域に投影して示すために設置されており、ＬＥＤ光源２から床面に照射される光の光量を評価領域内と評価領域外との間で異ならしめるためのＶ字状の透過光量パターンフィルターである。また、フィルター５は、ヘッドホルダー４ａの前面に備えたフィルターホルダー６に挿入されている。
【００２０】
図２は実施例１に係る塵埃評価用照明装置１と床面上に照射された出射光を示す上面図である。図２において、ＬＥＤ光源２からの出射光は、保持具４によって床面上に斜めに照射される。さらに、Ｖ字状の透過光量パターンを有するフィルター５によって、塵埃９を認識し易い評価に適した光量を有する評価領域７が投影されている。Ｖ字状の透過光量パターンによって、出射光の光軸３から離れた広がりの裾の部分、すなわち、ＬＥＤ光源内の反射板等からの反射光成分が多いため塵埃が認識しにくい部分を遮蔽している。
【００２１】
評価領域７の両側にはフィルター５による影の部分８があるので、評価領域７を容易に把握可能である。また、光軸３の奥行き方向に関しては、塵埃９を認識し易い評価領域７を目視で容易に把握可能である。本実施例においては、評価領域７で把握される塵埃量をその床部分の塵埃量と解釈することができる。
【００２２】
本実施例の塵埃評価用照明装置１を同じように床面に置いて評価を行うことにより、他の異なる床面の評価においても評価者が再現よく一定の基準で塵埃量を把握できる。これにより、床面の塵埃量を目視で評価する際に、塵埃が認識し易く、実際の塵埃量と目視で認識される塵埃量とが常に一定の対応関係となる。
【００２３】
なお、本実施例において、ＬＥＤ光源２の出射光強度が大きすぎる場合は、フィルター５は、Ｖ字の真ん中の光透過部分に光強度を減らすような半透過膜を配置してもよい。また、塵埃をより識別しやすくするために、光透過部分に色付きのフィルム、すなわち透過波長フィルターを配置してもよい。また、Ｖ字状の部分を他の部分よりも光透過率が小さく色の異なる波長フィルターとしてもよい。
【実施例２】
【００２４】
図３は、本考案の実施例２に係る塵埃評価用照明装置に使用するフィルターのパターンを示す図である。図４は実施例２に係る塵埃評価用照明装置１０と床面上に照射された出射光を示す上面図である。図４において、塵埃評価用照明装置１０は、フィルター１５以外の構成は実施例１と同様である。すなわち、ＬＥＤ光源２と、ＬＥＤ光源２を床面上に保持する保持具４と、フィルターホルダー６に挿入されたフィルター１５とから構成され、保持具４は、ＬＥＤ光源２の出射光の光軸３と床面とが成す角度が数度〜１０度程度となるように設定されている。
【００２５】
図４において、ＬＥＤ光源２からの出射光は、床面上に斜めに照射される。さらに、図３に示すように、中心の円状透過パターン１１、その外側の環状遮蔽パターン１２、その外側の環状透過パターン１３、その外側の環状遮蔽パターン１４からなる透過光量パターンを有するフィルター１５によって、床面上に図４のような照射パターンが投影される。本実施例においては、塵埃９の評価領域は、円状透過パターン１１が投影されている照射部１１ａと環状透過パターン１３が投影されている照射部１３ａである。ここで、照度が大きい照射部１１ａでは小さな塵埃量を把握でき、照度が小さい照射部１３ａでは大きな塵埃量を把握できる。これらの照射部１１ａ、照射部１３ａは、それぞれ、環状遮蔽パターン１２、環状遮蔽パターン１４を投影した影の部分１２ａ、１４ａによって明確に分離されているので、目視での把握が容易である。
【００２６】
本実施例においても、塵埃評価用照明装置１０を同じように床面に置いて評価を行うことにより、他の異なる床面の評価においても評価者が再現よく一定の基準で塵埃量を把握できる。本実施例において、ＬＥＤ光源２の出射光強度が大きすぎる場合は、フィルター１５は、光透過部分に光強度を減らすような半透過膜を配置してもよい。また、塵埃をより識別しやすくするために、フィルター１５の光透過部分に透過波長フィルターを配置してもよい。
【実施例３】
【００２７】
図５は、本考案の実施例３に係る塵埃評価用照明装置の模式的な斜視図である。図５において、塵埃評価用照明装置２０は、床面上に置かれた状態を示しており、実施例１と同様なＬＥＤ光源２と、ＬＥＤ光源２を床面上に保持する保持具２４と、フィルター２５とから構成されている。保持具２４は、ＬＥＤ光源２の発光部側の端部を挿入する穴を有するヘッドホルダー２４ａと、発光部とは反対側の端部を挿入する穴を有するテイルホルダー２４ｂの２つに分割されている。本実施例においては、ヘッドホルダー２４ａの穴の中心の高さをテイルホルダー２４ｂの穴の中心の高さと同じか、または高くすることにより、ＬＥＤ光源２の出射光の光軸３と床面とが成す角度が０度〜−３度程度、すなわち、床面と平行か、または若干上向きとなるように設定されている。
【００２８】
また、本実施例におけるフィルター２５は、ヘッドホルダー２４ａの出射光側に一体として形成された円形の下側１／３程度の開口からなる光透過パターンである。この光透過パターンにより、床面と平行か、または若干上向きに配置されたＬＥＤ光源２の下側の部分が上記パターンを通して床面に照射される。
【００２９】
図６は実施例３に係る塵埃評価用照明装置２０と床面上に照射された出射光を示す上面図である。図６において、ＬＥＤ光源２からの出射光は、フィルター２５によって、ＬＥＤ光源内の反射板などからの反射光成分を遮蔽し、主としてＬＥＤ光源の発光部からの直接光で床面を照射している。これにより、塵埃９を認識し易い、評価に適した評価領域２７が床面に投影されている。なお、光軸３の奥行き方向に関しては、ＬＥＤ光源２の出射端付近２６では、光強度が大きすぎるため塵埃９は認識しにくいが、そこより先に位置する評価領域２７では塵埃９を認識し易くなる。この評価領域２７は目視で容易に把握可能である。
【００３０】
本実施例においても、塵埃評価用照明装置２０を同じように床面に置いて評価を行うことにより、他の異なる床面の評価においても評価者が再現よく一定の基準で塵埃量を把握できる。本実施例において、ＬＥＤ光源２の出射光強度が大きすぎる場合は、フィルター２５の前面に光強度を減らすような半透過膜を配置してもよい。また、塵埃をより識別しやすくするために、フィルター２５の前面に透過波長フィルターを配置してもよい。
【実施例４】
【００３１】
図７は、本考案の実施例４に係る塵埃評価用照明装置に使用するフィルターのパターンを示す図である。図８は実施例２に係る塵埃評価用照明装置３０と床面上に照射された出射光を示す上面図である。図８において、塵埃評価用照明装置３０は、実施例１と同様なＬＥＤ光源２と、ＬＥＤ光源２を床面上に保持する保持具３４と、フィルター３５とから構成されている。保持具３４は、ＬＥＤ光源２の発光部側の端部を挿入する穴を有するヘッドホルダー３４ａと、発光部とは反対側の端部を挿入する穴を有するテイルホルダー３４ｂの２つに分割されている。本実施例においては、ヘッドホルダー３４ａの穴の中心の高さをテイルホルダー３４ｂの穴の中心の高さより低くすることにより、ＬＥＤ光源２の出射光の光軸３と床面とが成す角度が１０度〜１５度程度となるように設定されている。
【００３２】
図８において、ＬＥＤ光源２からの出射光は、床面上に斜めに照射される。さらに、図７に示すように、中心の円状遮蔽パターン３１、その外側の環状透過パターン３２、その外側の環状遮蔽パターン３３からなる透過光量パターンを有するフィルター３５によって、床面上に図８のような照射パターンが投影される。本実施例においては、塵埃９の評価領域は、円環状透過パターン３２が投影されている照射部３２ａである。ここで、照射部３２ａからなる評価領域は、その周囲が円状遮蔽パターン３１および環状遮蔽パターン３３を投影した影の部分３１ａおよび３３ａにより囲まれている。また、評価領域内において、前記ＬＥＤ光源からの出射光による照度の場所による違いが１０倍以下となるように設定されている。この評価領域となる照射部３２ａは影の部分３１ａ、３３ａによって明確に分離されているので、目視での把握が容易である。
【００３３】
本実施例においても、塵埃評価用照明装置３０を同じように床面に置いて評価を行うことにより、他の異なる床面の評価においても評価者が再現よく一定の基準で塵埃量を把握できる。本実施例において、ＬＥＤ光源２の出射光強度が大きすぎる場合は、フィルター３５は、円環状透過パターン３２の部分に光強度を減らすような半透過膜を配置してもよい。また、塵埃をより識別しやすくするために、フィルター３５の円環状透過パターン３２の部分に透過波長フィルターを配置してもよい。また、円状遮蔽パターン３１および環状遮蔽パターン３３を円環状透過パターン３２の部分よりも小さい光透過率を有する波長フィルターとしてもよい。
【００３４】
なお、本考案は上記の実施例に限定されるものではないことは言うまでもなく、目的や用途に応じて設計変更可能である。例えば、保持具はＬＥＤ光源の全体を収納する構造を有する物やＬＥＤ光源に取り付け可能な足のような形態であってもよい。また、ＬＥＤ光源の種類や形状、フィルターの種類、形状や取付位置なども変更可能である。さらに、室内光が明るすぎる場合は、評価領域の上部に周囲の光を遮断するための覆いや遮蔽板などを設けてもよい。
【符号の説明】
【００３５】
１、１０、２０、３０    塵埃評価用照明装置
２      ＬＥＤ光源
３      光軸
４、２４、３４    保持具
４ａ、２４ａ、３４ａ    ヘッドホルダ
４ｂ、２４ｂ、３４ｂ    テイルホルダ
５、１５、２５、３５    フィルター
６      フィルターホルダー
７、２７      評価領域
８、１２ａ、１４ａ、３１ａ、３３ａ    影の部分
９      塵埃
１１ａ、１３ａ、３２ａ    照射部
【図１】
0003203945.tif 000003
【図２】
0003203945.tif 000004
【図３】
0003203945.tif 000005
【図４】
0003203945.tif 000006
【図５】
0003203945.tif 000007
【図６】
0003203945.tif 000008
【図７】
0003203945.tif 000009
【図８】
0003203945.tif 000010